(57)【要約】【課題】整髪装置のための付属品を提供する。【解決手段】整髪装置のための付属品であって、該付属品は、整髪装置から空気流を受け取るための空気入口と、空気出口と、前記空気入口から前記空気出口に空気を運ぶためのダクトと、前記ダクトの壁に設けられた少なくとも１つの孔と、前記ダクト内に、前記少なくとも１つの孔に近接して設けられた案内壁と、を含み、前記案内壁は、前記少なくとも１つの孔の上流側で障壁を形成している、付属品。冷たい周囲空気が、整髪装置からの加熱された空気流によって各孔を通して付属品内に連行される。連行された空気流は、ダクトの壁の内側に沿って通過し、壁の温度を最小にするように機能する。【選択図】図１
2019063524.tif 000002
【特許請求の範囲】
【請求項１】
整髪装置のための付属品であって、該付属品は、
整髪装置から空気流を受け取るための空気入口と、
空気出口と、
前記空気入口から前記空気出口に空気を運ぶためのダクトと、
前記ダクトの壁に設けられ、前記空気入口の近くに位置する少なくとも１つの孔と、
前記ダクト内に、前記少なくとも１つの孔に近接して設けられた案内壁と、を含み、前記案内壁は、前記少なくとも１つの孔の上流側で障壁を形成しており、５ｍｍ〜１５ｍｍの範囲の距離、前記孔の下流側に延びている、付属品。
【請求項２】
前記空気出口は、細長いスロットである、請求項１に記載の付属品。
【請求項３】
前記細長い空気出口スロットの各端から前記空気入口に向かって延びる側壁をさらに含む、請求項２に記載の付属品。
【請求項４】
前記孔は、各側壁に位置決めされている、請求項３に記載の付属品。
【請求項５】
前記孔は、丸い矩形形状を有する、請求項１〜４のいずれか１項に記載の付属品。
【請求項６】
前記孔は、約３ｍｍ×５ｍｍである、請求項５に記載の付属品。
【請求項７】
前記孔は、前記ダクトの外面のまわりに部分的に延びるスロットである、請求項１または２に記載の付属品。
【請求項８】
前記孔は、前記ダクトの外面のまわりに延びるスロットである、請求項１または２に記載の付属品。
【請求項９】
前記細長い空気出口スロットは、１３：１〜１５：１の範囲の比の高さＨに対する長さＬの寸法を有する、請求項１に記載の付属品。
【請求項１０】
前記細長い空気出口スロットは、１４：１の比の高さＨに対する長さＬの寸法を有する、請求項９に記載の付属品。
【発明の詳細な説明】
【技術分野】
【０００１】
本発明は、ヘアドライヤのためのノズルに関する。
【背景技術】
【０００２】
ヘアドライヤに、ヘアドライヤから放出される空気流の輪郭を変更するためにヘアドライヤの空気流出口端に選択的に取り付けることができる１つまたはそれ以上のノズルを設けることは知られている。１つの形態のノズルまたは付属品は、局所的な整髪または乾燥のために使用者の髪の選択された部分に向けて空気流を集中させるのに役立つ集中器である。一般的に、集中器は、ヘアドライヤから空気流を受け取るための円形空気入口、および、空気流を放出するためのスロット形空気出口を備えた主本体を有する。
【発明の概要】
【０００３】
１つの観点では、本発明は、整髪装置のための付属品であって、該付属品は、整髪装置から空気流を受け取るための空気入口と、空気出口と、前記空気入口から前記空気出口に空気を運ぶためのダクトと、前記ダクトの壁に設けられた少なくとも１つの孔と、前記ダクト内に、前記少なくとも１つの孔に近接して設けられた案内壁と、を含み、前記案内壁は、前記少なくとも１つの孔の上流側で障壁を形成している、付属品を提供する。
【０００４】
周囲空気が、整髪装置からの空気流によって各孔を通して付属品内に連行される。整髪装置から受け取られた空気流が加熱されている場合には、連行された空気は、比較的冷たくなる。したがって、使用中、案内壁は、一方の側に沿って通過する加熱された空気流と、他方の側に沿って通過する比較的冷たい空気流を分割する。
【０００５】
好ましくは、空気出口は、細長いスロットである。ダクトは、細長い空気出口スロットの各端から空気入口に向かって延びる側壁をさらに含むのがよい。
【０００６】
付属品がヘアドライヤに取り付けられて、付属品の使用中に、空気出口スロットが、意図せず塞がれ、あるいは、制限された場合には、加熱された空気流は、孔を通って逃げることができ、それによって、ノズル内、特に出口スロットでの熱の蓄積が低減される。したがって、孔は、「ブリード孔」とも呼ぶことができる。
【０００７】
各孔は、好ましくは、各側壁に位置決めされ、丸い矩形形状を有するのがよい。好ましくは、孔は、約３ｍｍ×５ｍｍである。
【０００８】
孔は、ダクトの外面のまわりに部分的に、あるいは、全体的に延びるスロットであってもよい。好ましくは、案内壁は、少なくとも５ｍｍの距離、孔または各孔の下流側で延びている。
【０００９】
細長い空気出口スロットは、１３：１〜１５：１の範囲の比の高さＨに対する長さＬの寸法を有するのが好ましく、より一層好ましくは、１４：１の比の高さＨに対する長さＬの寸法を有する。
【００１０】
第２の観点では、本発明は、整髪装置のための付属品であって、該付属品は、整髪装置から空気流を受け取るための空気入口と、空気出口と、前記空気入口から前記空気出口に空気を運ぶためのダクトと、を含み、前記ダクトの外面の少なくとも一部が、触覚突出部の配列を含む、付属品を提供する。
【００１１】
空気出口は、細長いスロットであることが好ましい。本体の内面は、好ましくは、使用者が、ノズルから放出された空気流を、髪の選択された部分、例えば、整髪用ブラシのまわりに巻き付けられた髪の部分に向けて差し向けることを可能にするために、本体の空気出口端にスロット形開口部を形成するように形状決めされている。
【００１２】
好ましくは、触覚突出部の配列は、一連の平行な細長いリブを含み、各リブは、高さｈと、幅ｗと、隣接したリブの間の距離ｄと、を有する。
【００１３】
ノズルのリブ付き外面は、使用者に、ノズルを掴むときに指をどこに置くべきかについての視覚案内を提供する。さらに、一連の突出部は、リッジに存在する周囲空気、および、突出部に存在するプラスチック材料の追加の深さに伴う断熱を提供する。
【００１４】
各リブの高さｈは、好ましくは、０．５ｍｍ〜２．５ｍｍの範囲にあり、なお一層好ましくは、０．８ｍｍ〜１．２ｍｍの範囲にある。各リブの間の距離ｄは、好ましくは、０．５ｍｍ〜２．５ｍｍの範囲にあり、なお一層好ましくは、１．３ｍｍ〜１．７ｍｍの範囲にある。各リブの幅ｗは、好ましくは、０．５ｍｍ〜２．０ｍｍの範囲にあり、なお一層好ましくは、０．８ｍｍ〜１．２ｍｍの範囲にある。
【００１５】
好ましくは、付属品は、ダクトの各狭い縁部上に側壁を含み、各側壁は、空気出口スロットの端から空気入口に向かって延びている。触覚突出部の配列は、側壁の外面上に配置されているのがよい。
【００１６】
空気入口は、形状が略円形であるのが好ましい。さらに、空気入口は、少なくとも１つのスロットを含むのがよく、前記スロットは、環状であるのがよい。
【００１７】
本発明の好ましい特徴を、添付の図面を参照して例としてのみ以下で説明する。
【図面の簡単な説明】
【００１８】
【図１】ノズルの上方からの正面斜視図である。
【図２】ノズルの上方からの背面斜視図である。
【図３ａ】ノズルの頂面図である。
【図３ｂ】図３ａに示されたノズルの頂面図の拡大された部分を概略的に示す。
【図４】ノズルの側面図である。
【図５】ノズルの正面図である。
【図６】ノズルの背面図である。
【図７】図４に示されたノズルの軸線Ａ−Ａにおける横断面を概略的に示す。
【図８】空気流経路を示す、図７に示された横断面の拡大された部分を概略的に示す。
【図９】図４に示されたノズルの軸線Ｂ−Ｂにおける横断面を概略的に示す。
【図１０】ノズルの環状磁石を概略的に示す
【図１１】ノズルを取り付けることができるヘアドライヤの例の正面斜視図である。
【発明を実施するための形態】
【００１９】
図１−図６は、ノズル１０の外側図である。ノズル１０は、ヘアドライヤの空気流出口端からの空気流を受け取るための空気入口１２、および、空気流を放出するための空気出口１４を含む。空気入口１２は、形状が略円形であり、ノズルの一方の端に位置する環状スロット１６の形態にある。空気出口１４は、ノズルの反対側の端に位置する細長いスロット１８の形態にある。
【００２０】
ノズルは、本体２０、および、本体２０内に部分的に位置する口部(bung)２２を含む。本体２０は、空気入口１２を含む第１の部分２４、および、空気出口を含む第２の部分２６を有する。第１の部分２４は、形状が実質的に円錐形であり、第２の部分２６は、扁平形態、および、空気出口１４に向かって面積が増大する横断面を有する。第１の部分２４および第２の部分２６は、共に、継ぎ目および接合部のない単一の構成要素を含む。第１の部分２４の空気入口端は形状が略円形である。口部２２は、図７に示されているように、略円筒形上流側部分２８、および、略円錐形下流側部分３０を有する。略円錐形下流側部分３０は、本体の略円錐形の第１の部分２４内に位置しており、略円錐形下流側部分３０および本体の略円錐形の第１の部分２４は、共に、同じ長手方向軸線Ｘを中心として配向されている。その結果、ノズルの空気入口１２は、環状形態、および、本体の第１の部分２４と口部２２との間で延びる環状流体流経路を有する。
【００２１】
本体２０の第２の部分２６は、第１の壁３２、および、第１の壁に対向する第２の壁３４を含む。第１の壁３２および第２の壁３４は、共に、略平らであり、第１の壁３２と第２の壁３４の間の距離は、一定である。２つの滑らかに湾曲する小さい壁３６、３８が、第１の壁３２と第２の壁３４を接合する。図３を参照すると、小さい壁３６、３８は、ノズルの空気入口端から外方に、ノズルの空気出口端１４までテーパしている。
【００２２】
本体の第２の部分２６は、略矩形の横断面を有する。空気出口の細長いスロット形態は、５０ｍｍと９０ｍｍの間の、好ましくは、７０ｍｍくらいの長さＬ、および、３ｍｍと７ｍｍの間の、好ましくは、５ｍｍくらいの高さＨを有する。第２の部分２６の横断面面積は、第２の部分２６の空気出口１８で最も大きい。本体２０の第２の部分２６の空気出口１８の横断面は、１３：１〜１５：１の範囲の、好ましくは、１４：１の高さＨに対する長さＬの比を有する。
【００２３】
各小さい壁３６、３８の外面は、各小さい壁の長さに沿って部分的に延びる一連のリブを有する。各リブ４０は、幅ｗが約０．５ｍｍ〜２．０ｍｍであり、好ましくは幅が約１ｍｍである。各リブの間の間隙は、距離ｄが約０．５ｍｍ〜２．５ｍｍであり、好ましくは距離が約１．５ｍｍである。各リブ４０は、高さｈが約０．５ｍｍ〜３ｍｍであり、好ましくは高さが１ｍｍである。小さい壁の各々に沿った一連のリブの輪郭は、図３ａおよび図３ｂに示されているように、キャステレートされている。各リブの輪郭は、四角形または丸形であるのがよい。各リブは、各リブが配置されている小さい壁の外側高さと同様な寸法の長さを有し、各リブは、高さｈが、前記リブ４０の各端に向かってテーパしている。
【００２４】
孔４２が、空気入口１２に近接して各小さい壁３６、３８に位置している。示されている実施形態では、孔４２は、略丸い矩形形状を有し、約５ｍｍ×３ｍｍである。孔のより長い寸法は、小さい壁の長さと平行である。図７に示されているように、内側案内壁４４が、本体２０内で各孔４２に近接して配置されている。各案内壁４４は、本体の第２の部分２６の第１の壁３２と第２の壁３４の間で延びており、各孔４２から下流側に約１０ｍｍ〜１５ｍｍ延びている。
【００２５】
図７を参照すると、口部２２は、少なくとも１つのフィン４６を含むのがよく、少なくとも１つのフィン４６は、該少なくとも１つのフィン４６が、本体の扁平な第２の部分２６と共通の配向になるように、口部２２の外面から延びている。かかるフィンは、空気流出口に向けて空気流を差し向け、本体２０の第１の部分２４と本体２０の第２の部分２６の間の交差部での空気流の乱流を最小にする。少なくとも１つのフィン４６は、図５に示されているように、横断面が平らな遠位部分５０までテーパするエアロフォイル形態４８を有する。示されている実施形態では、フィン４６は、２つの部分に分割されている。
【００２６】
口部２２の下流側部分３０の外面は、略円錐形輪郭を有しながら、小さな凹形または凸形変形を有するのがよい。口部２２の下流側部分３０の外面は、本体の第１の部分２４の内面と同じ輪郭を有するのがよい。本体の外面は、特に、本体の第１の部分と第２の部分の間の境界のまわりでは、本体の内面と同じ輪郭を有しなくてよい。例えば、本体の内面は、本体の第１の部分と本体２０の第２の部分の間の交差部で、外面の角度付き交差部ではなく、混合された湾曲輪郭を有するのがよい。本体の内面のかかる混合された湾曲輪郭は、ノズル１０内での空気流のいかなる乱流または再循環も最小にする。
【００２７】
図７でわかるように、リテーナ５２が、本体２０内の略中央で、本体の第１の部分２４の頂点に位置決めされている。リテーナ５２は、本体２０の取付け部の一部である。組み立て中、ねじのような留め具５４が口部２２の頂点の予め形成された穴を通過してリテーナ５２内に侵入し、それによって、本体２０内の中央にしっかりと口部２２を固定する。さらには、少なくとも１つのストラット５６が、口部２２の外面に連結するために、本体２０の第１の部分２４の内面から突出する。この連結は、本体内で口部を正しい位置に支持するように機能し、超音波溶接または接着剤により取り付けられるのがよい。各ストラット５６を受け入れるための受け入れスロット５８が、口部２２の外面に形成されている場合には、本体内での口部の安定性がさらに増大される。本体２０の対向する側部から突出する２つのストラット５６が、図６および図９でわかる。
【００２８】
図１−図９に示されているノズルの実施形態では、口部２２の上流端が、本体の第１の部分２４から突出する。第１の部分２４の円形上流端は、平らな面６０を含む。平らな面６０は、ノズル１０をヘアドライヤに取り付けるための取り付け手段を含む。かかる取り付け手段は、例えば、磁石連結部またはプッシュフィット構造を含むのがよい。
【００２９】
使用中、ヘアドライヤから放出された空気流は、ノズル１０の空気入口１２内に侵入し、口部と本体の第１の部分の間の流路を通過する。空気流は、次いで、ノズル１０の第２の部分を通過し、空気出口１４で放出される。ヘアドライヤから放出された空気が熱い場合には、熱伝達が、ノズルの温度を上昇させ、潜在的に、ノズルの外面を、使用者の接触にとって不快なほどに熱くする。使用者の指を、本体の小さい壁の各々上の一連のリブ上に置くことによって、使用者によって経験される温度は、最小にされる。第１に、これは、一連の突出部がリッジに存在する周囲空気、および、各突出部４０に存在するプラスチック材料の追加の深さによる断熱の提供を伴う。第２に、ヘアドライヤから放出され、ノズル１０を通過する空気流は、各小さい壁３６、３８の各孔４２を通して冷たい周囲空気を連行する。その結果、図８に概略的に示されているように、連行された空気の内側空気流経路６２は、各孔４２から空気出口１４まで延びる。案内壁４４は、孔４２に近接して空気流６４から空気流６２を分離し、連行された空気をそれぞれの小さい壁の内面に沿って差し向ける。この空気流は、各小さい壁に沿ったノズルの温度を低減し、それによって、ノズルを、使用者が小さい壁３６、３８の外面を掴むためにより快適にする。
【００３０】
連行される空気６２のさらに注目される効果は、加熱された空気６４が、連行される空気６２がないときの出口角度よりも大きい発散角度で細長いスロットから出ていくように促進されることである。さらには、制限されたダクトの少なくとも一部を形成する（本実施形態の小さい壁３６、３８のような）壁に孔４２を位置決めすることは、制限されたダクト内で冷たい、連行された空気流を有利に運ぶ。
【００３１】
ノズル１０をヘアドライヤに取り付けるための取り付け手段は、磁石引力を使用することができ、図１０は、ノズルの上流端面に位置する環状磁石構成要素６６を概略的に示している。磁石構成要素６６は、規則正しく間隔を隔てて配置された交互の磁極で装荷される。好ましい実施形態では、１２個が正で、１２個が負の２４個の交互の極が使用される。使用中、これは、ヘアドライヤとノズルの間の取り付け強度を増大させるように機能する。他の数の極が使用されてもよいこと、また、極は不規則に間隔を隔てて配置されてもよいことも考えられる。
【００３２】
ノズルを取り付けることができるヘアドライヤ６８の例が、図１１に示されている。かかるヘアドライヤは、出典を明示することによってその内容が本願の一部とされるWO2015/001396に記載されており、WO2015/001396において、熱い空気流が、ヘアドライヤの空気出口端に位置する環状スロット７０から放出される。環状スロットは、ヘアドライヤのボア７２のまわりに延びている。放出された熱い空気流は、ノズルの環状空気入口を通過し、ノズルの本体に入る。
【００３３】
代替実施形態では、ノズルは、ヘアドライヤに取り付けるための円形上流端を含み、口部を含まない。かかるノズルは、円形空気出口を含むヘアドライヤに取り付けられることができる。
【００３４】
環状スロットの形態の入口を提供する代替として、ノズルは、複数の湾曲したスロット形空気入口、あるいは、ノズルの空気入口端に円形パターンで配置された複数の円形空気入口を含んでもよい。
【００３５】
代替実施形態では、小さい壁の各々の外面は、円形、矩形、または、リング形状のような種々の形態の断熱突出部のパターンを有してもよい。断熱突出部のパターンは、各孔の下流側で、各小さい壁の長さに沿って少なくとも部分的に、あるいは、完全に延びるのがよい。
【００３６】
孔は、温度の低減を必要とするノズルの任意の部分の上流側に位置決めされるのがよい。孔は、本体の全周のまわりに部分的に、あるいは、実質的に延びているスロットであるのがよい。孔は、代替的には、本体の第１の部分と第２の部分の間のＶ字形の境界に沿って延びていてもよい。案内壁が、孔の上流側で、孔に近接して位置し、スロットの上流側で空気流を妨げ、孔の下流側で空気流を案内するのに役立つ。孔が、ノズルのまわりで実質的に延びるスロットである場合には、ノズルの構造的一体性は、案内壁、あるいは、孔を横切って規則正しく位置決めされた継手によって維持されることができる。
【００３７】
孔が、ノズルのまわりで実質的に延びるスロットである場合には、本体の外面上の断熱突出部のパターンもまた、スロットの下流側で、ノズルのまわりに延びているのがよい。
【００３８】
代替実施形態では、上流末端に設けられた磁石構成要素は、磁石化可能な材料で構成されているのがよく、ヘアドライヤの出口端に設けられた協働する磁石構成要素は、環状形態の１つまたはそれ以上の磁石であるのがよい。
【００３９】
本発明は、上記の詳細な説明に限定されない。変形が、当業者には明らかであろう。
【符号の説明】
【００４０】
１０    ノズル
１２    空気入口
１４    空気出口
２０    本体
２２    口部
２４    第１の部分
２６    第２の部分
３６    小さい壁
３８    小さい壁
４０    リブ
４２    孔
【図１】
2019063524.tif 000003
【図２】
2019063524.tif 000004
【図３ａ】
2019063524.tif 000005
【図３ｂ】
2019063524.tif 000006
【図４】
2019063524.tif 000007
【図５】
2019063524.tif 000008
【図６】
2019063524.tif 000009
【図７】
2019063524.tif 000010
【図８】
2019063524.tif 000011
【図９】
2019063524.tif 000012
【図１０】
2019063524.tif 000013
【図１１】
2019063524.tif 000014